(57)【要約】【課題】  ハゼ式折板屋根の取付構造における「ハゼにおける屋根と梁との勾配差」及び「タイトフレームの葺き方向に対する誤取付」を解決することにある。【解決手段】  タイトフレーム１０は、吊子３０を取り付ける山部１２で連結される左右対称な形状であって、その左右両端に起立した起立片１３と１４穿孔とを備えて連結部１５とし、連結したタイトフレーム１０の山部１２の上をスライドさせて段差部を形成するとともに、連結部１５を重ね合わせて形成される穿孔１４，１４に挿通させて連結部１５，１５の固定及び吊子３０の取付のためのボルト２２を備えるボルト付補強金具２０を備える。そして、タイトフレーム１０の山部１２を幅方向に円周状とし、それと接するボルト付補強金具２０の底部２３及び吊子３０の底部３３もこれに対応する円周状としたことを特徴とする。【選択図】  図１
2018003249.tif 000002
【特許請求の範囲】
【請求項１】
接合部分にハゼ加工を施した折板屋根を吊子を用いて固定するハゼ式折板屋根用タイトフレームであって、
吊子を取り付ける山部で連結される左右対称な形状であることを特徴とするハゼ式折板屋根用タイトフレーム。
【請求項２】
タイトフレームの左右両端に起立した起立片とその起立片に穿孔とを備えて連結部とし、連結したタイトフレームの山部の上をスライドさせて段差部を形成するとともに、連結部を重ね合わせて形成される穿孔に挿通させて連結部の固定及び吊子の取付のためのボルトを備えるボルト付補強金具を備えたことを特徴とする請求項１記載のハゼ式折板屋根用タイトフレーム。
【請求項３】
タイトフレームの山部を幅方向に円周状とし、タイトフレームの山部と接するボルト付補強金具及び吊子の底部もこれに対応する円周状としたことを特徴とする請求項２記載のハゼ式折板屋根用タイトフレーム。
【請求項４】
請求項１から３のいずれかに記載のハゼ式折板屋根用タイトフレームを備えたことを特徴とするハゼ式折板屋根構造。
【請求項５】
接合部分にハゼ加工を施した折板屋根をタイトフレームと吊子を用いて固定するハゼ式折板屋根の取付方法であって、
吊子を取り付ける山部で連結される左右対称な形状のハゼ式折板屋根用タイトフレームを連結する工程と、
左右両端に起立した起立片とその起立片に穿孔とを備えて連結部としたタイトフレームの連結した山部の上をボルト付補強金具をスライドさせて段差部を形成するとともに、連結部を重ね合わせて形成される穿孔に挿通させて連結部の固定及び吊子の取付のためのボルトを備える工程と、
そのボルトに吊子を取り付ける工程と、
を備えたことを特徴とするハゼ式折板屋根の取付方法。
【請求項６】
タイトフレームの山部を幅方向に円周状とし、タイトフレームの山部と接するボルト付補強金具及び吊子の底部もこれに対応する円周状として、吊子を取り付ける際に角ハゼ式折板屋根の勾配に合わせて吊子もタイトフレームに対して勾配をつけて取り付けることを特徴とする請求項５記載のハゼ式折板屋根の取付方法。
【発明の詳細な説明】
【技術分野】
【０００１】
本願発明は、接合部分にハゼ加工（馳加工）を施した折板屋根を吊子を用いて固定するハゼ式折板屋根に関するものである。
【背景技術】
【０００２】
ハゼ式折板屋根の取付構造に関しては、これまでに特許文献１又は特許文献２に開示されたものなどが存在している。
【先行技術文献】
【特許文献】
【０００３】
【特許文献１】特開２００８−１６３５９０号公報
【特許文献２】特開２００８−２１４８８９号公報
【発明の概要】
【発明が解決しようとする課題】
【０００４】
一般的に、ハゼ式折板屋根の施工において、建物の梁へ支持金具であるタイトフレームを溶接し、緊定金具の吊子を介して取り付ける。
ここで、建物の屋根部分の梁は、従来は屋根と平行であるものがほとんどであったが、近年は建物本体と平行で、屋根とは勾配分だけ勾配を伴うものが増加傾向にある。
この勾配に対応するためには、タイトフレームと吊子との取付角度に勾配をつける必要があるが、その勾配は建物ごとに異なるため、一元寸法化ができない。
【０００５】
加えて、ハゼ式屋根の主流である角ハゼ（角型のハゼ形状）や一部の丸ハゼ（丸型のハゼ形状）などにおいて、緊定の手順等から、タイトフレームに対して吊子に勾配をつけにくい構造となっている。
【０００６】
例えば、角ハゼは、図７に図示するように、タイトフレーム９０に対して、まず、折板屋根（下ハゼ）９１をセットし、その上に吊子９２を掛けてタイトフレーム９０へナット締めをする。次に、折板屋根（上ハゼ）９３を取り付けて、最後に、上ハゼと下ハゼをカシメて完了する。従って、角ハゼでは、吊子をタイトフレームに取り付けたままでの施工ができない。このため、構造上、勾配が付けにくく、付けようとすると、圧縮強度が確保しづらくなる、といった課題があった（第１の課題）。
【０００７】
また、ハゼ式のタイトフレームと吊子において、構造の簡素化のため、屋根葺き方向に対する取り付け向きが決まっており、梁への誤取付を行った場合は、溶接を取り外し、再溶接といった極めて煩雑な作業が必要となっていた（第２の課題）。特に、近年の職人不足により、ハゼ式屋根施工の経験不足から、そうした誤取付の懸念は大きく、取り付けの方向性フリーの重要度が高くなっている。
【０００８】
そこで、こうした第１の課題（ハゼ式における屋根と梁との勾配差）及び第２の課題（タイトフレームの葺き方向に対する誤取付）を解決することを目的として、本願発明者は鋭意試験・研究を行い、本願発明を完成するに至った。
【課題を解決するための手段】
【０００９】
上記目的を達成するために、本願発明の第１の発明は、接合部分にハゼ加工を施した折板屋根を吊子を用いて固定するハゼ式折板屋根用タイトフレームであって、吊子を取り付ける山部で連結される左右対称な形状であることを特徴とするものである。
第２の発明は、タイトフレームの左右両端に起立した起立片とその起立片に穿孔とを備えて連結部とし、連結したタイトフレームの山部の上をスライドさせて段差部を形成するとともに、連結部を重ね合わせて形成される穿孔に挿通させて連結部の固定及び吊子の取付のためのボルトを備えるボルト付補強金具を備えたことを特徴とする同ハゼ式折板屋根用タイトフレームである。
第３の発明は、タイトフレームの山部を幅方向に円周状とし、タイトフレームの山部と接するボルト付補強金具及び吊子の底部もこれに対応する円周状としたことを特徴とする同ハゼ式折板屋根用タイトフレームである。
第４の発明は、上記した第１の発明乃至第３の発明に係るハゼ式折板屋根用タイトフレームを備えたことを特徴とするハゼ式折板屋根構造である。
第５の発明は、接合部分にハゼ加工を施した折板屋根をタイトフレームと吊子を用いて固定するハゼ式折板屋根の取付方法であって、吊子を取り付ける山部で連結される左右対称な形状のハゼ式折板屋根用タイトフレームを連結する工程と、左右両端に起立した起立片とその起立片に穿孔とを備えて連結部としたタイトフレームの連結した山部の上をボルト付補強金具をスライドさせて段差部を形成するとともに、連結部を重ね合わせて形成される穿孔に挿通させて連結部の固定及び吊子の取付のためのボルトを備える工程と、そのボルトに吊子を取り付ける工程と、を備えたことを特徴とするものである。
第６の発明は、タイトフレームの山部を幅方向に円周状とし、タイトフレームの山部と接するボルト付補強金具及び吊子の底部もこれに対応する円周状として、吊子を取り付ける際にハゼ式折板屋根の勾配に合わせて吊子もタイトフレームに対して勾配をつけて取り付けることを特徴とする同ハゼ式折板屋根の取付方法である。
【発明の効果】
【００１０】
上記した本願発明によれば、以下のような効果を有する。
（１）本願発明は、左右対称な形状のハゼ式折板屋根用タイトフレームであるので左右がなく、第２の課題であるタイトフレームの葺き方向に対する誤取付が起こり得ない。従って、第２の課題をいとも簡単に解決できる。
（２）なお、ハゼ式折板屋根用タイトフレームに必要な山部における段差部及び吊子を取り付けるためのボルトは、ハゼ式折板屋根用タイトフレームとは別部材の「ボルト付補強金具」を備えることで、解決できる。
（３）また、本願発明は、タイトフレームの山部を幅方向に円周状とし、タイトフレームの山部と接するボルト付補強金具及び吊子の底部もこれに対応する円周状としたことで、吊子を取り付ける際にハゼ式折板屋根の勾配に合わせて吊子もタイトフレームに対して勾配をつけて取り付けることができる。従って、第１の課題である角ハゼにおける屋根と梁との勾配差を確実に解決できる。
【図面の簡単な説明】
【００１１】
【図１】角ハゼ式折板屋根用タイトフレームを説明する説明図（１）。
【図２】角ハゼ式折板屋根用タイトフレームを説明する説明図（２）。
【図３】ボルト付補強金具を説明する説明図。
【図４】角ハゼ式折板屋根用構造を説明する説明図（１）。
【図５】角ハゼ式折板屋根用構造を説明する説明図（２）。
【図６】角ハゼ式折板屋根用構造を説明する説明図（３）。
【図７】従来技術を説明する説明図（概略図）。
【発明を実施するための形態】
【００１２】
本願発明の実施形態を図面に基づいて説明する。なお、本実施形態ではハゼ式折板屋根として「角ハゼ式折板屋根」を用いて説明するが、ハゼ式折板屋根が「角ハゼ式」のものに限定されるものではない。
図１及び図２は、本願発明に係る角ハゼ式折板屋根用タイトフレームを説明する説明図である。
図１に図示するように、角ハゼ式折板屋根用タイトフレーム（以下、タイトフレーム）１０は、谷部１１を中心に左右に山部１２，１２を備える左右対称な形状である。そして、タイトフレーム１０の左右両端には起立した起立片１３とその起立片１３に穿孔１４を備えて連結部１５としている。
【００１３】
図２に図示するように、タイトフレーム１０はこの連結部１５を重ね合わせて連結し、使用される。ここで、図示するようにタイトフレーム１０には左右がないので、第２の課題であるタイトフレームの葺き方向に対する誤取付は起こらず、梁への誤取付を行った場合の煩雑な作業（タイトフレームの溶接を取り外し、再溶接）を不要にできる。
【００１４】
図３及び図４は、ボルト付補強金具を説明する説明図である。
図３に図示するように、ボルト付補強金具２０は、連結したタイトフレーム１０の山部１２の上をスライドさせて段差部を形成する本体部２１と、連結部１５，１５を重ね合わせて形成される穿孔１４，１４に挿通させて連結部１５，１５の固定及び吊子（図示省略）の取付のためのボルト２２を備える。なお、ボルト付補強金具２０の底部２３は、タイトフレーム１０の山部１２の形状に対応させる。また、連結部１５，１５の固定を確実なものとするために、連結するもう一方のタイトフレーム１０の山部１２に延伸する延伸片２４，２４を備える。
【００１５】
図４乃至図６は、上記したタイトフレーム１０やボルト付補強金具２０を備えた角ハゼ式折板屋根用構造を説明する説明図である。
図４（ａ）に図示するものは、タイトフレーム１０に取り付ける吊子３０である。
そして、図４（ｂ）及び図４（ｃ）に図示するように、ボルト付補強金具２０を備えたタイトフレーム１０の左側へ下ハゼとなる角ハゼ式折板屋根（図示省略）をセットし、その上に吊子３０を取り付ける。吊子３０はハゼ部３１を、下ハゼに掛けるようにして取り付けるので、ボルト付補強金具２０は連結部１５，１５の穿孔１４，１４から若干ボルト２０を出す程度で吊子３０の取付孔３２に通す。
【００１６】
そして、図５に図示するように、吊子３０のハゼ部３１が下ハゼに掛かり終わってから（タイトフレーム１０に対して垂直になってから）、ボルト付補強金具２０は連結したタイトフレーム１０の山部１２の上をスライドさせて、吊子３０の取付孔３２へボルト２２を挿通させてナット締めを行う。このように、左右対称なタイトフレーム１０を採用したことによって本来であれば角ハゼ式折板屋根用タイトフレームに必要な山部における段差部及び吊子を取り付けるためのボルトは、角ハゼ式折板屋根用タイトフレームとは別部材のボルト付補強金具２０を備えることで、解決できた。
【００１７】
次に、図６に図示するように、タイトフレーム１０の山部１２を幅方向に円周状（湾曲形状）とし、タイトフレーム１０の山部１２と接するボルト付補強金具２０の底部２３及び吊子３０の底部３３もこれに対応する円周状（湾曲形状）とする。これによって、吊子３０を取り付ける際に角ハゼ式折板屋根の勾配に合わせて吊子３０もタイトフレーム１０に対して勾配をつけて取り付けることができる。
【００１８】
例えば、図６（ａ）は、角ハゼ式折板屋根に勾配が無い場合である。一方、図６（ｂ）は、角ハゼ式折板屋根に勾配が有る場合であり、吊子３０（ボルト付補強金具２０も）がタイトフレーム１０の山部１２に対して勾配を確保したまま、タイトフレーム１０の山部１２に取り付けることができる。これによって、第１の課題である「角ハゼにおける屋根と梁との勾配差」を確実に解決できている。
【産業上の利用可能性】
【００１９】
本願発明は、ハゼ式折板屋根の取付構造（ハゼ式折板屋根構造）として幅広く利用できるものである。
【符号の説明】
【００２０】
１０  角ハゼ式折板屋根用タイトフレーム（タイトフレーム）
１１  谷部
１２  山部
１３  起立片
１４  穿孔
１５  連結部
２０  ボルト付補強金具
２１  本体部
２２  ボルト
２３  底部
２４  延伸片
３０  吊子
３１  ハゼ部
３２  取付孔
３３  底部
【図１】
2018003249.tif 000003
【図２】
2018003249.tif 000004
【図３】
2018003249.tif 000005
【図４】
2018003249.tif 000006
【図５】
2018003249.tif 000007
【図６】
2018003249.tif 000008
【図７】
2018003249.tif 000009